(57)【要約】  【解決手段】  ヘッド本体、重りおよび充填材により構成される。ヘッド本体の底部には収容室が設けられる。重りは収容室の内部に設けられてヘッド本体の重心を調整することができる。充填材を利用して収容室を封止することにより、重りを被覆して固定することができるように構成されている。  【効果】  充填材を利用することにより、重りの組立の製造工程を簡単にすることができると共に、打球時に生じた振動を吸収することができる。【選択図】    図１
2005130911.tif 000002
【特許請求の範囲】
【請求項１】
ヘッド本体（１０）、収容室（１１）、重り（２０）および充填材（３０）により構成されるゴルフクラブヘッドと重りの結合構造であって、収容室（１１）はヘッド本体（１０）の底部に設けられると共に、収容室（１１）に開口部が形成され、重り（２０）は収容室（１１）に設けられ、充填材（３０）は収容室（１１）の開口部を封止することにより、重り（２０）を被覆して固定することができることを特徴とするゴルフクラブヘッドと重りの結合構造。
【請求項２】
充填材（３０）は軽質材料により製成されることを特徴とする請求項１記載のゴルフクラブヘッドと重りの結合構造。
【請求項３】
上記軽質材料は樹脂、エポキシ樹脂、高分子化合材料、ゴム、熱塑性弾性体材質、ＰＵ弾性充填材、カーボン、軽質合金、チタン合金、アルミ合金およびその粘性複合粉末から選ぶことができることを特徴とする請求項２記載のゴルフクラブヘッドと重りの結合構造。
【請求項４】
収容室（１１）が上記開口部に近い位置の内周壁には複数個の切り溝（１１１）が設けられ、切り溝（１１１）により充填材（３０）の結合の信頼性を高めることができることを特徴とする請求項１記載のゴルフクラブヘッドと重りの結合構造。
【請求項５】
収容室（１１）の開口部は上方へ向かうようにヘッド本体（１０）の底部に設けられることを特徴とする請求項１記載のゴルフクラブヘッドと重りの結合構造。
【請求項６】
収容室（１１）の開口部は後方へ向かうようにヘッド本体（１０）の底部に設けられることを特徴とする請求項１記載のゴルフクラブヘッドと重りの結合構造。
【請求項７】
収容室（１１）の開口部は下方へ向かうようにヘッド本体（１０）の底部に設けられることを特徴とする請求項１記載のゴルフクラブヘッドと重りの結合構造。
【請求項８】
ヘッド本体（１０）はアイアン型ヘッドであることを特徴とする請求項１記載のゴルフクラブヘッドと重りの結合構造。
【請求項９】
ヘッド本体（１０）はウッド型ヘッドであることを特徴とする請求項１記載のゴルフクラブヘッドと重りの結合構造。
【請求項１０】
充填材（３０）は熱圧成形、射出成形の方式により収容室（１１）の開口部に充填して形成することにより、収容室（１１）の内部の重り（２０）を被覆して固定することができることを特徴とする請求項１記載のゴルフクラブヘッドと重りの結合構造。
【発明の詳細な説明】
【技術分野】
【０００１】
本発明は、ゴルフクラブヘッドと重りの結合構造に関するもので、特に充填材を利用して迅速に重りを被覆して固定することができる結合構造に係るものである。
【背景技術】
【０００２】
従来のゴルフクラブヘッドと重りの結合構造としては、図７を参照するように、ヘッド本体１０および重り２０が含まれる。ヘッド本体１０は低比重の材質により製成され、例えばチタン合金、ステンレス、フェロ−マンガン−アルミ合金またはその他の軟鉄類と鉄合金であり、さらに重り２０は高比重の材質により製成され、例えばタングステン−フェロ−ニッケル合金またはその他のタングステン合金である。ヘッド本体１０において適当な位置に収容室１１または凹欠部１０１が設けられるため、適当な結合方式を利用して重り２０を結合することができる。そのため、ヘッド本体１０と重り２０により組成されたゴルフクラブヘッドの完成品はヘッド本体の重心の位置を低く抑えることができると共に、同じ重量の状態でヘッド本体の体積を相対的に増やしたり、ヘッド本体の相対的な厚さを縮減したり、さらにヘッド本体の弾性による変形能力を高めたりすることができるようにとしたものがある。
【０００３】
また、従来のゴルフクラブヘッドと重りの結合構造としては、業界において圧合、嵌設または螺設の方式を利用して重り２０をヘッド本体１０に結合する。例えば、青銅片（bronze）を利用して複数個の重り部材を嵌設して固定するようにとしたものがある（例えば、特許文献１、２を参照）。
【特許文献１】アメリカ特許番号第６，５９２，４６８号
【特許文献２】アメリカ特許番号第６，６１６，５４７号
【発明の開示】
【発明が解決しようとする課題】
【０００４】
上記のような従来のゴルフクラブヘッドと重りの結合構造においては、図７及び８に示すように、ヘッド本体１０と重り２０の材質が異なることにより、各種の溶接方式（welding）により結合を行う時、溶接熱による破裂または溶路が凝固して劣化してしまうという問題点が生じ易いため、異種金属の結合には不適である。そのため、業界においては通常としてろう付け方式（brazing）を利用してヘッド本体１０と重り２０を結合する。しかし、ろう付け方式の製造工程においても多数の問題点を有しており、例えばろう付け１０１の溶接材料には金額の高い銀、銅、チタン、ニッケルなどの成分を有するため、製造コストが高くなる。また、実際に使用すると、ろう付けの製造工程においてヘッド本体１０と溶接材料を同時に加熱しなければならないため、ヘッド本体１０の金属の分子構造と組成に影響を与え易く、そのために全体構造の強度と柔軟性が下げてしまう。また、操作者にとってろう付けの溶接材料の用量、収容室１１と重り２０のしまりばめの程度および重り２０の嵌入の力量などの製造工程の条件を制御し難い。さらに、ろう付けの溶接材料には溶接クリームが含まれるため、溶接クリームは高温により有機物質が揮発してしまうため、充填材が外部へ溢れたり、充填が不足したり、空洞が生じたり或いは充填材の浪費が生じたりするため、重り２０のろう付けによる結合強度に影響を及ぼしたり、ろう付け製造工程の操作の困難度を増やしたりするという問題点があった。
【０００５】
また、上記のような従来のゴルフクラブヘッドと重りの結合構造においては、圧合、嵌設または螺設の方式を利用した結合の方式は溶接またはろう付けの方式より製造工程を簡単にすることができるが、ヘッド本体の表面に亀裂が生じたり、捻じれて変形したり、外観に影響を及ぼしたりするという問題点があっただけではなく、肉厚が比較的薄いヘッド本体の使用には不適であり、例えば超大型のウッドヘッドの使用には不適である。このように、上記のような従来のゴルフクラブヘッドと重りの結合構造をさらに改良しなければならない。
【０００６】
本発明はこのような問題点に鑑みて発明したものであって、その目的とするところは、充填材を利用して重りをヘッド本体の収容室に被覆して固定し、被覆の製造工程は常温で直接行うことができることにより、溶接、加熱または加圧の製造工程を省くことができるため、重りの組立を迅速かつ簡単に行うことができ、さらに充填材の軽質材質を利用して打球時の振動を吸収することができるゴルフクラブヘッドと重りの結合構造を提供しようとするものである。
【０００７】
本発明の第一の目的は、充填材を利用して重りをヘッド本体の収容室に被覆して固定することにより、重りの組立の製造工程を迅速かつ簡単に行うことができるゴルフクラブヘッドと重りの結合構造を提供しようとするものである。
【０００８】
本発明の第二の目的は、充填材を利用して重りを被覆して固定することにより、充填材の軽質材質により打球時の振動を吸収することができるため、振動吸収の効果、打球の安定性および握り心地を高めることができるゴルフクラブヘッドと重りの結合構造を提供しようとするものである。
【０００９】
本発明の第三の目的は、充填材を利用して重りをヘッド本体の収容室に被覆して固定すると共に、収容室の開口部に近い位置の外周壁には複数個の切り溝が形成されることにより、充填材の結合強度を高めることができるため、重りの結合の信頼性を高めることができるゴルフクラブヘッドと重りの結合構造を提供しようとするものである。
【課題を解決するための手段】
【００１０】
上記目的を達成するために、本発明によるゴルフクラブヘッドと重りの結合構造は、下記のようになるものである。すなわち、
ヘッド本体、収容室、重りおよび充填材により構成される。収容室はヘッド本体の底部に設けられると共に、収容室に開口部が形成される。重りは収容室に設けられる。充填材は収容室の開口部を封止することにより、重りを被覆して固定することができる。
【００１１】
本発明によるゴルフクラブヘッドと重りの結合構造は、充填材は軽質材料により製成されることもできる。また、上記軽質材料は樹脂、エポキシ樹脂、高分子化合材料、ゴム、熱塑性弾性体材質、ＰＵ弾性充填材、カーボン、軽質合金、チタン合金、アルミ合金およびその粘性複合粉末から選ぶこともできる。また、収容室が上記開口部に近い位置の内周壁には複数個の切り溝が設けられ、切り溝により充填材の結合の信頼性を高めることもできる。また、収容室の開口部は上方へ向かうようにヘッド本体の底部に設けられることもできる。また、収容室の開口部は後方へ向かうようにヘッド本体の底部に設けられることもできる。また、収容室の開口部は下方へ向かうようにヘッド本体の底部に設けられることもできる。また、ヘッド本体はアイアン型ヘッドであることもできる。また、ヘッド本体はウッド型ヘッドであることもできる。また、充填材は熱圧成形、射出成形の方式により収容室の開口部に充填して形成することにより、収容室の内部の重りを被覆して固定することもできる。
【発明の効果】
【００１２】
本発明のゴルフクラブヘッドと重りの結合構造によれば、充填材を利用して重りをヘッド本体の収容室に被覆して固定することにより、重りの組立の製造工程を迅速かつ簡単に行うことができるという利点がある。
【００１３】
本発明のゴルフクラブヘッドと重りの結合構造によれば、充填材を利用して重りを被覆して固定することにより、充填材の軽質材質により打球時の振動を吸収することができるため、振動吸収の効果、打球の安定性および握り心地を高めることができるという利点がある。
【００１４】
本発明のゴルフクラブヘッドと重りの結合構造によれば、充填材を利用して重りをヘッド本体の収容室に被覆して固定すると共に、収容室の開口部に近い位置の外周壁には複数個の切り溝が形成されることにより、充填材の結合強度を高めることができるため、重りの結合の信頼性を高めることができるという利点がある。
【発明を実施するための最良の形態】
【００１５】
本発明の実施の形態について、以下、図面を参照して説明する。
【００１６】
図１は本発明の実施例１のゴルフクラブヘッドと重りの結合構造による組み立てられた状態の断面図で、図２は本発明の実施例２のゴルフクラブヘッドと重りの結合構造による組み立てられた状態の断面図で、図３は本発明の実施例３のゴルフクラブヘッドと重りの結合構造による組み立てられた状態の断面図で、図４は本発明の実施例４のゴルフクラブヘッドと重りの結合構造による組み立てられた状態の断面図で、図５は本発明の実施例５のゴルフクラブヘッドと重りの結合構造による組み立てられた状態の断面図で、図６は本発明の実施例６のゴルフクラブヘッドと重りの結合構造による組み立てられた状態の断面図である。
【００１７】
本発明のゴルフクラブヘッドと重りの結合構造の一部分の構造は図７、８に示す従来のゴルフクラブヘッドと重りの結合構造とは同じであるため、両者の同じ部分の構造は同じ符号を採用して標示するため、その構造および功能については再び詳細に説明しない。
【実施例１】
【００１８】
図１を参照すると、本発明の実施例１のゴルフクラブヘッドと重りの結合構造にはヘッド本体１０、重り２０および充填材２３が含まれる。ヘッド本体１０はアイアン型ヘッドで、比重の小さい金属材質により製成され、例えばチタン合金、ステンレス、フェロ−マンガン−アルミ合金、軟鉄類などの金属または合金である。ヘッド本体１０のソール部（sole）に近い適当な位置には収容室１１が設けられ、収容室１１には開口部（標示せず）が形成され、上記開口部は好ましくは上方へ向かうように設けられるため、重り２０を嵌設することができ、そして充填材３０を利用して封止することができる。重り２０は比重の大きい金属材質により製成され、例えばタングステン−フェロ−ニッケル合金である。重り２０の断面の面積はヘッド本体１０の収容室１１の断面の面積とはほぼ同じであるため、重り２０が収容室１１に設けられた時、重り２０の外周壁は収容室１１の内周壁に適当に貼接するように形成され、そして重り２０の底面は収容室１１の底面に完全に貼接するように形成される。それから、本発明においては熱圧成形または射出成形の方式により充填材３０を収容室１１の開口部の位置に充填して形成させることにより、収容室１１の内側に位置された重り２０を被覆して固定することができるため、重り２０は収容室１１の内部に強固に結合される。被覆の製造工程は常温で直接行うことができると共に、溶接、高温加熱または高圧の施しの段階を省くことができるため、重り２０の組立の製造工程を迅速かつ簡単にすることができる。また、通常として充填材３０は好ましくは軽質材料により製成され、例えば樹脂（例えばエポキシ樹脂）、高分子化合材料、ゴム、熱塑性弾性体材質、ＰＵ弾性充填材、カーボン、軽質合金（例えばチタン合金、アルミ合金）およびその粘性複合粉末である。充填材３０の軽質材料は振動を吸収する作用を有していることにより、充填材３０により打球時に生じた振動を吸収することができるため、振動吸収の効果、打球の安定性および握り心地を高めることができる。また、充填材３０は熱圧成形または射出成形の方式により製成されるため、比較的よい結合強度と被覆の効果を獲得することができる。さらに、適当に充填材３０の比重を選択することにより、ヘッド本体１０の全体の重心位置を下方へ向かうように調整することができるため、充填材３０によりヘッド本体１０の重心の調整の自由度を増やすことができる。
【００１９】
再び図１を参照すると、ヘッド本体１０の正面にはフェース板１２が結合され、そしてヘッド本体１０の一方にはネック１３が形成される。フェース板１２は打球するのに用いられ、さらにネック１３によりシャフト（図示せず）と結合することができる。フェース板１２は例えば嵌設、圧合、硬ろう付け、螺設などの方式によりヘッド本体１０に結合することができ、または一体成形によりヘッド本体１０に直接形成することができる、ヘッド本体１０（フェース板１２を含まない）は使用上の需要性に応じて例えば精密鋳造、鋳造、機械加工、圧力鋳造、鍛造、射出成形などの方式により一体成形になるように製造したり、或いは分段接合の方式により一体になるように組み立てたりすることができる。
【実施例２】
【００２０】
図２を参照すると、本発明の実施例２のゴルフクラブヘッドと重りの結合構造が掲示される。実施例１と比較し、実施例２のヘッド本体１０には開口部が後方へ向かうように収容室１１が形成され、そして製品の外観の需要性に応じて収容室１１の開口部を各種の形状の変化に形成させることができ、例えば円形、楕円形、正多角形、星形などであり、さらに重り２０の形状を対応するように修飾させる。また、適当に充填材３０の種類、顔色を選択することができ、さらに異なる種類または顔色を複合した充填材３０を使用することもできる。このように、充填材３０は重り２０を被覆して固定するのに、または打球の振動を吸収するのに用いられるだけではなく、ヘッド本体１０の背面の外観における視覚の効果を増やすことができる。
【実施例３】
【００２１】
図３を参照すると、本発明の実施例３のゴルフクラブヘッドと重りの結合構造が掲示される。実施例１と比較し、実施例３のヘッド本体１０には開口部が下方へ向かうように収容室１１が形成され、そして適当に充填材３０の材料（例えばＰＵ弾性充填材またはゴム）を選択することにより、充填材３０には弾性によるクッションの効果と滑り止めの効果を有するように形成される。また、充填材３０により重り２０を被覆して固定することができると共に、打球の振動を吸収することができる。
【実施例４】
【００２２】
図４を参照すると、本発明の実施例４のゴルフクラブヘッドと重りの結合構造が掲示される。実施例１と比較し、実施例４のヘッド本体１０の収容室１１が開口部に近い位置の内周壁には複数個の切り溝１１１が設けられる。切り溝１１１は例えば環状、点状または不定形の排列になるように形成される。これにより、充填材３０が収容室１１に充填された時、切り溝１１１により充填材３０は嵌合の方式で収容室１１の開口部の位置に強固に結合されることにより、充填材３０が収容室１１から離脱するのを防止することができるため、重り２０の結合の信頼性を高めることができる。また、フェース板１２の打球の応力の分布に影響を与えてしまうのを避けるべく、切り溝１１１は通常としてフェース板１２の背面での設置を避けている。
【実施例５】
【００２３】
図５を参照すると、本発明の実施例５のゴルフクラブヘッドと重りの結合構造が掲示される。実施例１と比較し、実施例５のヘッド本体１０はウッド型ヘッドで、ヘッド本体１０には内部空間１００、収容室１１、フェース板１２およびネック１３が設けられる。収容室１１はヘッド本体１０の底部から内部空間１００に向かって延伸するように形成される。収容室１１に重り２０を設けることができ、さらに充填材３０を充填することができる。充填材３０により重り２０を被覆して固定することができるため、重り２０の組立の製造工程を迅速かつ簡単にすることができると共に、打球の振動を吸収することができ、さらに需要性に応じてヘッド本体１０の背面の外観における視覚の効果を増やすことができる（図４の実施例２に示す如く）。
【実施例６】
【００２４】
図６を参照すると、本発明の実施例６のゴルフクラブヘッドと重りの結合構造が掲示される。実施例５と比較し、実施例６のヘッド本体１０の収容室１１が開口部に近い位置の内周壁には複数個の切り溝１１１が設けられる。切り溝１１１は例えば環状、点状または不定形の排列になるように形成される。これにより、充填材３０が収容室１１に充填された時、切り溝１１１により充填材３０は嵌合の方式で収容室１１の開口部の位置に結合されることにより、充填材３０が収容室１１から離脱するのを防止することができるため、重り２０の結合の信頼性を高めることができる。
【産業上の利用可能性】
【００２５】
上述の如く、図７に示す従来のゴルフクラブヘッドと重りの結合構造によれば、溶接による結合の不良が生じ易く、ろう付けの製造工程が操作し難く、圧合によるヘッド本体に亀裂が生じてしまうなどの問題点があったが、図１に示す本発明のゴルフクラブヘッドと重りの結合構造によれば、充填材により重りを確実に被覆して固定することができることにより、重りの組立の製造工程を迅速かつ簡単にすることができると共に、さらに振動を吸収する効果、打球の安定性、よい握り心地、結合の信頼性、重心調整の自由度と視覚の効果を高めることができる。
【００２６】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２７】
【図１】本発明の実施例１のゴルフクラブヘッドと重りの結合構造による組み立てられた状態の断面図である。
【図２】本発明の実施例２のゴルフクラブヘッドと重りの結合構造による組み立てられた状態の断面図である。
【図３】本発明の実施例３のゴルフクラブヘッドと重りの結合構造による組み立てられた状態の断面図である。
【図４】本発明の実施例４のゴルフクラブヘッドと重りの結合構造による組み立てられた状態の断面図である。
【図５】本発明の実施例５のゴルフクラブヘッドと重りの結合構造による組み立てられた状態の断面図である。
【図６】本発明の実施例６のゴルフクラブヘッドと重りの結合構造による組み立てられた状態の断面図である。
【図７】従来のゴルフクラブヘッドと重りの結合構造による組み立てられた状態の断面図である。
【図８】従来のもう一つのゴルフクラブヘッドと重りの結合構造による組み立てられた状態の断面図である。
【符号の説明】
【００２８】
１０    ヘッド本体                    １００    内部空間
１０１    凹欠口                          １１    収容室
１１１    切り溝                          １２    フェース板
１３    ネック                          ２０    重り
３０    充填材
【図１】
2005130911.tif 000003
【図２】
2005130911.tif 000004
【図３】
2005130911.tif 000005
【図４】
2005130911.tif 000006
【図５】
2005130911.tif 000007
【図６】
2005130911.tif 000008
【図７】
2005130911.tif 000009
【図８】
2005130911.tif 000010